(57)【要約】【課題】浴槽が壁体および扉で囲繞されており、浴槽の排水栓に対するメンテナンスまたは操作が容易で利便性の良い浴室ユニットを提供する。【解決手段】浴室ユニット１００は、湯を溜める浴槽１と、浴槽１に溜められた湯を排水するための排水栓１２とを備える。壁体５１、５２および５３、並びに扉６は、浴槽１の周縁部１０に配設されており、浴槽１を囲繞する。浴室ユニット１００は、浴槽１の長手方向の一端側に排水栓１２が設けられており、長手方向に沿う一側における前記一端側に扉６の右側扉６ｂが設けられている。【選択図】図５
2018186965.tif 000002
【特許請求の範囲】
【請求項１】
湯を溜める浴槽と、前記浴槽に溜められた湯を排水するための排水栓と、前記浴槽を囲繞するように前記浴槽の周縁部に配設された壁体および扉と、を備える浴室ユニットにおいて、
前記浴槽の長手方向の一端側に前記排水栓が設けられており、
前記長手方向に沿う一側における前記一端側に前記扉が設けられていることを特徴とする浴室ユニット。
【請求項２】
前記一端側と反対側の他端側に、ユーザが用いる機能部が設けられていることを特徴とする請求項１に記載の浴室ユニット。
【請求項３】
前記機能部は、前記他端側における前記浴槽の内側面で形成される背もたれ部であり、
前記背もたれ部における前記内側面は、前記一端側よりも傾斜が緩いことを特徴とする請求項２に記載の浴室ユニット。
【発明の詳細な説明】
【技術分野】
【０００１】
本発明は、浴室ユニットに関する。
【背景技術】
【０００２】
近年では、浴槽の四方を壁部および扉で覆い、壁部にシャワー装置を設けたコンパクトな浴室ユニットが考案されている。
【０００３】
例えば、特許文献１には、浴槽の上方の壁面にシャワーが設けられ、浴槽側部分と洗い場側とを仕切る仕切り扉を備える浴室ユニットが記載されている。仕切り扉は、複数枚の扉体で構成されており、シャワー側の扉体が固定されている。
【先行技術文献】
【特許文献】
【０００４】
【特許文献１】実開平０３−０２０６５３号公報
【発明の概要】
【発明が解決しようとする課題】
【０００５】
特許文献１に記載の浴室ユニットは、シャワー側の扉体が固定されているため、浴槽の排水栓をシャワー側に設けると、ユーザが仕切り扉の外側から排水栓を操作することが困難になるという問題点があった。
【０００６】
本発明は、斯かる事情に鑑みてなされたものであり、その目的とするところは、浴槽が壁体および扉で囲繞されており、浴槽の排水栓に対するメンテナンスまたは操作が容易で利便性の良い浴室ユニットを提供することにある。
【課題を解決するための手段】
【０００７】
本発明に係る浴室ユニットは、湯を溜める浴槽と、前記浴槽に溜められた湯を排水するための排水栓と、前記浴槽を囲繞するように前記浴槽の周縁部に配設された壁体および扉と、を備える浴室ユニットにおいて、前記浴槽の長手方向の一端側に前記排水栓が設けられており、前記長手方向に沿う一側における前記一端側に前記扉が設けられていることを特徴とする。
【発明の効果】
【０００８】
本発明によれば、浴室ユニットは、浴槽が壁体および扉で囲繞されており、浴槽の排水栓に対するメンテナンスまたは操作が容易で、利便性が良い。
【図面の簡単な説明】
【０００９】
【図１】本発明の実施形態に係る浴室ユニットの外観を示す斜視図である。
【図２】本発明の実施形態に係る浴室ユニット内の外観を示す斜視図である。
【図３】浴室ユニットの施工例を示す斜視図である。
【図４】浴室ユニットにおける浴槽の長手方向の縦断面図である。
【図５】図４に示すＡ−Ａ線による浴室ユニットの断面図である。
【図６】ユーザが浴槽に着座して入浴する状態を説明するための模式図である。
【図７】変形例に係る浴室ユニットにおける浴槽の長手方向の縦断面図である。
【図８】別の変形例に係る浴室ユニットにおける図４のＡ−Ａ線による断面に相当する断面図である。
【発明を実施するための形態】
【００１０】
以下、本発明を好適な実施の形態をもとに図１から図８を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１１】
（実施形態）
図１は本発明の実施形態に係る浴室ユニット１００の外観を示す斜視図、図２は本発明の実施形態に係る浴室ユニット１００内の外観を示す斜視図である。浴室ユニット１００は、浴槽１、シャワー装置２、吐水装置３、壁部５および扉６等を備える。浴槽１は、平面視矩形状をなし、湯を溜めることができる深皿状である。浴槽１は、周縁部１０に配設された壁部５および扉６によって周囲が覆われ、上方を天井７によって覆われている。
【００１２】
壁部５は、浴槽１の長手方向に沿う一側に配設された壁体５１、浴槽１の長手方向の両端部であって壁体５１の両側に配設される壁体５２および５３で構成されている。扉６は、浴槽１の長手方向に沿う他側に配設されており、壁体５１に対向する。扉６は、引き違い戸であり、左側扉６ａおよび右側扉６ｂともスライドさせることにより開閉することができる。
【００１３】
浴槽１は、壁部５および扉６によって外部から遮蔽されている。ユーザは、扉６を開状態にして浴槽１内に移動し、扉６を閉状態にしてシャワー装置２のシャワーヘッド２１から吐出される湯を浴びる。シャワーヘッド２１は、フック２２に掛け止められる。浴槽１は、吐水装置３の吐水具３１から吐水することによって湯を溜めることができる。ユーザは、浴槽１に溜めた湯に浸かって入浴することができる。
【００１４】
浴槽１に溜めた湯は、浴槽１の底部１１に設けた排水栓１２から排出される。排水栓１２は、浴槽１の長手方向の一端側に設けられている。浴室ユニット１００は、排水栓１２が設けられている一端側において、浴槽１の長手方向に沿って右側扉６ｂが設けられている。尚、浴室ユニット１００は、浴槽１の側方に洗い場床が設けられておらず、浴槽１内で入浴が行われるものである。
【００１５】
図３は浴室ユニット１００の施工例を示す斜視図である。浴室ユニット１００は、扉６部分が開口した外壁パネル８で四方を覆い、壁９０および床９１等で区画された屋内空間において床９１上に設置される。また、浴室ユニット１００は、外壁パネル８で覆うことなく、浴室ユニット１００が納まる程度の空間に設置されてもよい。尚、浴室ユニット１００には、浴槽１に溜めた湯を排水するための排水管、および給水給湯管が付属するが、これらの部品については説明の簡潔のため記載を省略した。
【００１６】
図４は浴室ユニット１００における浴槽１の長手方向の縦断面図、図５は図４に示すＡ−Ａ線による浴室ユニット１００の断面図である。上述のように、浴槽１は、長手方向の一端側の底部１１に排水栓１２が設けられている。浴槽１は、排水栓１２が設けられている一端側の内側面１３よりも、一端側と反対側の他端側における内側面１４の傾斜が緩くなっている。
【００１７】
内側面１４は、傾斜が緩いのでユーザが背をもたせ易く、背もたれ部４を構成している。背もたれ部４は、内側面１４に加えて、浴槽１の周縁部１０から上方に内側面１４を延長するための部材を有していてもよい。シャワー装置２、吐水装置３および背もたれ部４は、本発明における機能部に相当している。ユーザは、シャワー装置２、吐水装置３および背もたれ部４等の機能部を浴槽１内で用いる。これらの機能部は、排水栓１２および内側面１３側に足を伸ばし、内側面１４側を頭側として浴槽１内に着座したユーザが使い易いように、浴槽１の長手方向における排水栓１２を設けた一端側と反対側の他端側に設けられている。
【００１８】
シャワー装置２は、縦ガイドバー２０、シャワーヘッド２１およびフック２２を有し、壁体５１に配設されている。シャワー装置２は、浴槽１の長手方向の中央部から、浴槽１の長手方向における排水栓１２が設けられた一端側と反対の他端側までの範囲に設けられている。縦ガイドバー２０は、上下方向を軸方向とする棒状であり、浴室ユニット１００の高さ方向の中途部から天井７の近傍まで延びる。
【００１９】
フック２２は、縦ガイドバー２０の軸方向に摺動可能に取り付けられており、任意の高さ位置で保持することができる。シャワーヘッド２１は、フック２２に着脱自在に掛け止めることができる。シャワーヘッド２１は、ホース２３によって吐水装置３に連結されており、吐水装置３から湯水が供給される。
【００２０】
吐水装置３は、吐水本体部３０、吐水具３１、切替水量調節つまみ３２、および温度調節つまみ３３を備え、壁体５１に配設されている。吐水装置３は、シャワー装置２と同様に、浴槽１の長手方向の中央部から、浴槽１の長手方向における排水栓１２が設けられた一端側と反対の他端側までの範囲に設けられている。
【００２１】
吐水装置３は、壁体５１の裏側に配設された給湯給水管から湯および水が供給される。吐水本体部３０は円筒状をなし、壁体５１に平行に設けられている。吐水具３１は、吐水本体部３０から浴槽１中央方向へ延び、先端部から湯水を吐出する。尚、シャワーヘッド２１に繋がるホース２３の端部は、吐水本体部３０から下方に延びる給水口に接続される。
【００２２】
切替水量調節つまみ３２は、吐水本体部３０の一端部に設けられており、吐水具３１またはシャワーヘッド２１のいずれか一方からの吐水を切替え、水量を調節することができる。また、温度調節つまみ３３は、吐水本体部３０の他端部に設けられており、吐水具３１およびシャワーヘッド２１から吐出する湯水の温度を調節することができる。
【００２３】
次に浴室ユニット１００の作用について説明する。上述のとおり、浴室ユニット１００は、排水栓１２が浴槽１の長手方向の一端側に設けられているので、右側扉６ｂを開状態とすることにより、ユーザが浴槽１の外部から排水栓１２をメンテナンスまたは操作し易く、利便性が良い。ユーザは、排水栓１２に手を伸ばしてアクセスし、排水栓１２とその周辺部分の掃除などのメンテナンス、または、浴槽１に湯を溜めたり、湯を抜いたりするために排水栓１２を操作することが容易に行える。
【００２４】
図６はユーザが浴槽１に着座して入浴する状態を説明するための模式図である。ユーザは、浴室ユニット１００内に移動して入浴する。ユーザは、浴槽１に溜めた湯に浸かる際に、排水栓１２および内側面１３側に足を伸ばし、内側面１４側を頭側として浴槽１内に着座したときに、シャワー装置２、吐水装置３および背もたれ部４等の機能部が内側面１４側にあるので使い易い。このため、ユーザは、自然に排水栓１２および内側面１３側に足を伸ばし、内側面１４側を頭側として浴槽１内に着座するよう誘導される。
【００２５】
また排水栓１２は、浴槽１の底部１１と面一であればユーザが排水栓１２の上に着座しても違和感はないが、排水栓１２とその周囲の底部１１に凹凸が生じていると着座したユーザに違和感を与えてしまう。上述のように、浴室ユニット１００は、ユーザが内側面１４側を頭側として浴槽１内に着座するよう誘導されることから、機能部が使い易いことに加えて、着座時の違和感も抑制するので利便性が向上する。
【００２６】
背もたれ部４は、内側面１４の傾斜が内側面１３に比較して緩やかであるため、浴槽１に着座するユーザの背部をもたせかけるのに適する。排水栓１２および内側面１３側に足を伸ばし、内側面１４側を頭側として浴槽１内に着座したユーザは、着座した状態で吐水装置３の切替水量調節つまみ３２および温度調節つまみ３３を操作して、湯水の量および温度を調整できる。また、同様に浴槽１内に着座した状態で、上半身にシャワーヘッド２１からの湯水を浴びるような使い方も可能である。
【００２７】
次に、実施形態の浴室ユニット１００の特徴を説明する。
本発明の実施形態に係る浴室ユニット１００は、湯を溜める浴槽１と、浴槽１に溜められた湯を排水するための排水栓１２とを備える。壁体５１、５２および５３、並びに扉６は、浴槽１の周縁部１０に配設されており、浴槽１を囲繞する。浴室ユニット１００は、浴槽１の長手方向の一端側に排水栓１２が設けられており、長手方向に沿う一側における前記一端側に扉６の右側扉６ｂが設けられている。これによって、浴室ユニット１００は、浴槽の排水栓に対するメンテナンスまたは操作が容易であり、利便性が良い。
【００２８】
また浴室ユニット１００は、前記一端側と反対側の他端側に、ユーザが用いる機能部であるシャワー装置２、吐水装置３および背もたれ部４が設けられている。これによって、浴室ユニット１００は、ユーザが一端側に足を伸ばし、他端側を頭側として浴槽１に着座した状態で、機能部の操作性が良い。
【００２９】
また浴室ユニット１００は、機能部が他端側における浴槽の内側面で形成される背もたれ部４であり、背もたれ部４における内側面１４が、前記一端側の内側面１３よりも傾斜が緩い。これによって、浴室ユニット１００は、ユーザが背もたれ部４側を頭側として着座するように誘導され、ユーザにとって機能部の利便性が向上する。
【００３０】
（変形例）
図７は変形例に係る浴室ユニット１００における浴槽１の長手方向の縦断面図である。この変形例に係る浴室ユニット１００は、浴槽１における排水栓１２側と反対側に載置される着座ボード１５を有する。着座ボード１５は、周縁部１０に載置されており、ユーザがその上に座って浴槽１に溜めた湯に足を浸ける、いわゆる足湯をする際に利用できる。着座ボード１５は、シャワー装置２、吐水装置３および背もたれ部４とともに機能部を構成する。尚、着座ボード１５は、浴槽１における排水栓１２側に載置されるようにして使用できるようにしても良く、ユーザが使用しないときには取り外しておくようにすると良い。
【００３１】
図８は、別の変形例に係る浴室ユニット１００における図４のＡ−Ａ線による断面に相当する断面図である。この変形例に係る浴室ユニット１００において、浴室ユニット１００は、壁体５３の端部から浴槽１の長手方向の中央部にかけて、浴槽１の周縁部１０に配設される壁体５４を有する。扉６は引き戸であり、浴槽１の長手方向における排水栓１２が設けられた一端側に設けられており、壁体５４の外側でスライドして開閉することができる。この変形例に係る浴室ユニット１００は、扉６を開状態とすることにより、ユーザが浴槽１の外部から排水栓１２をメンテナンスまたは操作し易く、利便性が良い。
【００３２】
上述の実施形態および変形例においては、扉６として引き違い戸や引き戸の例を示したが、扉６は折れ戸や、開き戸等であってもよい。また、シャワー装置２は、縦ガイドバー２０によってフック２２を上下に摺動することができる例を示したが、縦ガイドバー２０がなく、壁体５１等にフック２２が固定的または着脱可能に取り付けられていてもよい。また機能部として、浴槽１等に取り付けられるヘッドレストやアームレストを設けてもよい。また排水栓１２は、ユーザが直接的に排水栓１２に手を触れて操作する形式だけでなく、例えばプッシュ式の操作ボタンが浴槽１の周縁部１０に設けられ、操作ボタンの押し動作によって排水栓１２が連動されて操作する形式のものも含まれる。操作ボタンによって操作する形式の排水栓１２のメンテナンスは、排水栓１２を取り外して、排水栓１２およびその周辺部を掃除すること等を含む。
【００３３】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００３４】
１  浴槽、  １０  周縁部、  １２  排水栓、  １５  着座ボード（機能部）、
２  シャワー装置（機能部）、  ３  吐水装置（機能部）、
４  背もたれ部（機能部）、  ５１，５２，５３，５４  壁体、  ６  扉、
１００  浴室ユニット。
【図１】
2018186965.tif 000003
【図２】
2018186965.tif 000004
【図３】
2018186965.tif 000005
【図４】
2018186965.tif 000006
【図５】
2018186965.tif 000007
【図６】
2018186965.tif 000008
【図７】
2018186965.tif 000009
【図８】
2018186965.tif 000010